(57)【要約】【課題】先行するウェブの末端と、接続用のウェブの先端とを突き合わせ状態にして表裏両面に接着テープを貼着して接続する場合に、接続のための走行停止時間を短縮できて、効率よく接続できるようにする。【解決手段】原反ロールから巻き出し走行している先行するウェブの末端と接続用のウェブの先端を突き合わせ状態にして、該突き合わせ部６の表裏両面に貼着する接着テープＴ１，Ｔ２のうち、表裏面一方（表面）の接着テープＴ１を走行停止中に貼着し、他方（裏面）の接着テープＴ２を、表面の接着テープ貼着後の走行再開に同伴して回転するサクションロール７を利用して、ウェブを走行させながら前記突き合わせ部６の裏面に貼着することにより接続のための走行停止時間を短縮する。【選択図】図４
2010023986.tif 000002
【特許請求の範囲】
【請求項１】
原反ロールから巻き出されて搬送されるウェブの走行部分に設定され、先行するウェブの末端と接続用の原反ロールから巻き出した新ウェブの先端とを突き合わせ状態にして表裏両面に接着テープを貼着して接続するスプライス装置であって、
ウェブ表裏面のいずれか一方と対向する側においてウェブ走行部分に対し接近可能に配置され、接続用の原反ロールから巻き出した新ウェブを前記ウェブ走行部分との対向側に吸引保持しておくウェブ保持手段と、
ウェブ走行部分を挟んで前記ウェブ保持手段と対向する側においてウェブ走行部分に対し接近可能に配置され、先行するウェブが終端近くになって走行を一時停止したときに、該ウェブ走行部分に対し接近移動して前記先行するウェブを押さえ、前記ウェブ保持手段との間に該先行ウェブを前記新ウェブと共に挟持するウェブ押さえ手段と、
前記ウェブ表裏面のいずれか一方と対向する側において、前記ウェブ保持手段とウェブ押さえ手段とにより挟持した前記先行ウェブと前記新ウェブとを所定のスプライス用位置で幅方向に切断する切断装置と、
ウェブ走行部分を挟んで前記ウェブ保持手段と対向する側においてウェブ走行部分に対し接近可能に配置されるとともに、ウェブ走行部分との対向側に接続用の接着テープを吸引保持し、前記切断装置による切断後にウェブ走行部分に対し接近移動して、前記切断により生じた先行ウェブの末端と新ウェブの先端との突き合わせ部の表裏面の一方に前記接着テープを貼着するテープ貼着手段と、
前記スプライス用位置よりウェブ走行方向前方の位置で、前記テープ貼着手段による接着テープ貼着面とは反対側においてウェブ走行部分に対し接近可能に設けられ、外周面の一部に接続用の接着テープを吸引保持し、前記ウェブに当接した状態でウェブ走行に同伴して回転することにより、前記先行ウェブの末端と新ウェブの先端との突き合わせ部の表裏面の他方に該接着テープを貼着するテープ貼着用のサクションロールと、
を備えてなることを特徴とするウェブのスプライス装置。
【請求項２】
前記ウェブ保持手段が、前記スプライス位置を中間にしてウェブ走行方向に間隔を存して並列配置された一対のサクションボックスよりなり、前記切断装置が、ウェブ走行部分に対し該ウェブ保持手段と同じ側にあって該ウェブ保持手段の両サクションボックス間で切断作用するように配置されてなる請求項１に記載のウェブのスプライス装置。
【請求項３】
前記切断装置が、前記ウェブ保持手段の両サクションボツクスと組み合わせ構成されてユニット化され、ウェブ保持手段と共にウェブ走行部分に対し接近可能に設けられてなる請求項２に記載のウェブのスプライス装置。
【請求項４】
前記ウェブ保持手段が、前記スプライス用位置を中間にしてウェブ走行方向に間隔を存して並列配置された一対のサクションボックスよりなり、前記切断装置が、前記ウェブ保持手段とウェブ走行部分を挟んで対向する側にあって、前記テープ貼着手段と並列してウェブ走行方向に変位可能に配され、該切断装置とテープ貼着手段が前記スプライス用位置に交互に対向位置するように設けられるとともに、それぞれ前記スプライス用位置と対向している状態においてウェブ走行部分に対し接近して切断作用又はテープ貼着作用するように設けられてなる請求項１に記載のウェブのスプライス装置。
【請求項５】
前記テープ貼着用のサクションロールが、ウェブ走行部分を挟んで走行用のガイドロールと対向して配置され、該ガイドロールに対してウェブを押圧し得るように設けられてなる請求項１〜４のいずれか１項に記載のウェブのスプライス装置。
【発明の詳細な説明】
【技術分野】
【０００１】
本発明は、各種ウェブを原反ロールから巻き出して次工程に供給する際に、先行するウェブの末端に接続用の新ウェブの先端を接続するためのスプライス装置に関するものである。
【背景技術】
【０００２】
例えば、塗工機、印刷機等において、プラスチックフィルム、紙等のウェブを原反ロールから巻き出して処理加工の工程や或いは巻取り工程等の次工程に連続して供給する際、供給部の原反ロールから巻き出されるウェブの走行部分の一部、特には原反ロールからの巻き出し側に近い走行部分に、先行するウェブの末端と接続用の原反ロールから巻き出した新ウェブの先端とを接続するためのスプライス装置が設けられている（例えば、特許文献１参照）。
【０００３】
かかるスプライス装置としては、種々の構造のものがあるが、基本的に、前記原反ロールのウェブ終端が近づいたときに、ウェブの巻き出し及び走行を一時停止し、この走行停止中に、図９のように、先行するウェブＷ１の末端Ｗ１ａと新ウェブＷ２の先端Ｗ２ａとを突き合わせ状態にして、突き合わせ部の表裏両面に接着テープＴ１を貼着することにより接続することとしている。この接続のための一時的な走行停止中においても、次工程へのウェブ供給を連続して行うために、スプライス装置から次工程に至るまでの間に、走行するウェブを一時貯留しておくアキューム装置が設けられている。
【０００４】
ところで、従来のスプライス装置は、例えば図１０〜図１３に示す構造をなしている。このスプライス装置は、原反ロールＲ１から巻き出されて搬送されるウェブＷ１の裏面と対向する下側に、図１０のように接続用の原反ロールＲ２から巻き出された新ウェブＷ２の先端部を保持するウェブ保持手段１０１が、前記ウェブ走行部分ＷＲに対し接近可能に配置されている。このウェブ保持手段１０１は、ウェブ走行部分ＷＲに設定される所定のスプライス用位置Ｐ１を中間にしてウェブ走行方向に間隔を存して並列する一対のサクションボックス１１１，１１１よりなる。両サクションボックス１１１，１１１は、図１０、図１３のように、ウェブ走行部分ＷＲから離れた位置にあるときに、両者間の間隔が大きくなり、図１１、図１２のように、ウェブ走行部分ＷＲに対して接近した状態のときに両者間の間隔が狭くなるように、前記スプライス用位置Ｐ１を中心として斜めに移動するように設けられている。
【０００５】
前記ウェブＷ１の表面と対向する上側には、前記スプライス用位置Ｐ１の近傍で前記ウェブ走行部分ＷＲに対し接近可能なウェブ押さえ手段１０４が配置されており、図１１及び図１２のように、前記ウェブ保持手段１０１との間に先行ウェブＷ１を前記新ウェブＷ２と共に挟持するように設けられている。
【０００６】
また、前記ウェブＷ１の表面と対向する上側には、前記切断装置１０２とサクションボックスよりなる表面側のテープ貼着手段１０４とが、それぞれ前記ウェブ走行部分ＷＲに対し接近可能に配置されている。前記切断装置１０２は、前記ウェブ保持手段１０１とウェブ押さえ手段１０４とにより挟持した状態において、図１１のように該ウェブ走行部分ＷＲに対し接近移動して、前記先行ウェブＷ１と前記新ウェブＷ２とを所定のスプライス位置Ｐ１において幅方向に切断するように設けられている。
【０００７】
前記テープ貼着手段１０５は、前記ウェブ走行部分ＷＲとの対向面側に接続用の接着テープＴ１を吸引保持し、図１２のように、前記切断装置１０２による切断後に前記ウェブ走行部分ＷＲに対し接近移動して、切断２より生じた先行ウェブＷ１の末端Ｗ１ａと新ウェブＷ２の先端Ｗ２ａとの突き合わせ部１０６の表面側に前記接着テープＴ１を貼着するように設けられている。
【０００８】
さらに、前記ウェブ走行部分ＷＲの下側には、前記ウェブ保持手段１０１の両サクションボックス１１１，１１１間において、前記ウェブ走行部分ＷＲとの対向側に接続用の接着テープＴ２を保持するサクションボックスよりなる裏面側のテープ貼着手段１０７が、図１３のように、前記表面側の接着テープ貼着後に前記両サクションボックス１１１，１１１が離れたときに、切断装置１０２と入れ替わって前記スプライス位置Ｐ１に対向し、かつ前記ウェブ走行部分ＷＲに対し接近移動して、前記接着テープＴ２を前記突き合わせ部１０１の裏面側に前記接着テープＴ２を貼着するように設けられている。 
そのため、従来のスプライス装置の場合、図１０〜図１３に示す先行ウェブＷ１の末端Ｗ１ａと新ウェブＷ２の先端Ｗ２ａとを接続する工程においては、下側のウェブ保持手段１０１のウェブ走行部分ＷＲへの接近移動、ウェブ押さえ手段１０４と切断装置１０２のウェブ走行部分ＷＲへの接近移動、切断装置１０２の切断動作、切断装置１０２の後退移動、該切断装置１０２とテープ貼着手段１０５の変位移動、テープ貼着手段１０５のウェブ走行部分ＷＲへの接近移動による接着テープ貼着、ウェブ保持手段１０１の後退移動、下側のテープ貼着手段１０７の接近移動による接着テープ貼着、上下のテープ貼着手段１０５，１０７の後退移動の各動作を走行停止中に行う必要があり、それだけ走行停止時間が長くなり、ひいてはスプライス装置の後続のアキューム装置の収容長を長くし大型化する必要がある。
【特許文献１】特開平６−４０６１５号公報
【発明の開示】
【発明が解決しようとする課題】
【０００９】
本発明は、上記の問題を解決して、原反ロールより巻き出し走行されているウェブ末端と、接続用の原反ロールから巻き出された新ウェブの先端とを突き合わせ状態にして表裏両面に接着テープを貼着して接続する場合において、自動的に効率よく接続できて、接続のためのウェブ走行停止時間を短縮でき、ウェブ走行停止のためのアキューム収容長を短かくできるスプライス装置を提供するものである。
【課題を解決するための手段】
【００１０】
本発明は、上記の課題を解決するものであり、原反ロールから巻き出されて搬送されるウェブの走行部分に設定され、先行するウェブの末端と接続用の原反ロールから巻き出した新ウェブの先端とを突き合わせ状態にして表裏両面に接着テープを貼着して接続するスプライス装置であって、ウェブ表裏面のいずれか一方と対向する側においてウェブ走行部分に対し接近可能に配置され、接続用の原反ロールから巻き出した新ウェブを前記ウェブ走行部分との対向側に吸引保持しておくウェブ保持手段と、ウェブ走行部分を挟んで前記ウェブ保持手段と対向する側においてウェブ走行部分に対し接近可能に配置され、先行するウェブが終端近くになって走行を一時停止したときに、該ウェブ走行部分に対し接近移動して前記先行するウェブを押さえ、前記ウェブ保持手段との間に該先行ウェブを前記新ウェブと共に挟持するウェブ押さえ手段と、前記ウェブ表裏面のいずれか一方と対向する側において、前記ウェブ保持手段とウェブ押さえ手段とにより挟持した前記先行ウェブと前記新ウェブとを所定のスプライス用位置で幅方向に切断する切断装置と、ウェブ走行部分を挟んで前記ウェブ保持手段と対向する側においてウェブ走行部分に対し接近可能に配置されるとともに、ウェブ走行部分との対向側に接続用の接着テープを吸引保持し、前記切断装置による切断後にウェブ走行部分に対し接近移動して、前記切断により生じた先行ウェブの末端と新ウェブの先端との突き合わせ部の表裏面の一方に前記接着テープを貼着するテープ貼着手段と、前記スプライス用位置よりウェブ走行方向前方の位置で、前記テープ貼着手段による接着テープ貼着面とは反対側においてウェブ走行部分に対し接近可能に設けられ、外周面の一部に接続用の接着テープを吸引保持し、前記ウェブに当接した状態でウェブ走行に同伴して回転することにより、前記先行ウェブの末端と新ウェブの先端との突き合わせ部の表裏面の他方に該接着テープを貼着するテープ貼着用のサクションロールと、を備えてなることを特徴とする。
【００１１】
このウェブのスプライス装置によれば、先行するウェブと接続用の新ウェブとの接続においては、走行停止中に、ウェブ保持手段とウェブ押さえ手段とにより前記先行ウェブと新ウェブとを挟持して、両ウェブを所定のスプライス用位置で切断し、この切断により生じた先行ウェブの末端と新ウェブの先端とを突き合わせ状態にして、該突き合わせ部の表裏面の一方に接続用の接着テープを貼着して仮接続し、さらに、この仮接続後の走行再開時に、前記の仮接続したウェブを走行させながら、前記突き合わせ部の表裏面の他方にサクションロールにより接着テープを貼着し、接続を完了する。
【００１２】
このように、先行ウェブの末端と新ウェブの先端とを突き合わせて、該突き合わせ部の表裏面に接着テープを貼着して接続するにも拘わらず、表裏面の片方の接着テープ貼着をウェブの走行中に行うことで、従来の表裏面の双方の接着テープ貼着を走行停止中に行う場合に比して、走行停止時間を大幅に短縮でき、接続作業効率を向上できる。
【００１３】
前記のスプライス装置において、前記ウェブ保持手段が、前記スプライス用位置を中間にしてウェブ走行方向に間隔を存して並列配置された一対のサクションボックスよりなり、前記切断装置が、ウェブ保持手段と同じ側にあって該ウェブ保持手段の両サクションボックス間で切断作用するように配置されてなるものとすることができる。この場合、ウェブ走行部分を挟んで前記ウェブ保持手段と対向する側での切断装置とテープ貼着手段の入れ替えのための移動も不要になり、走行停止時間をさらに短縮できることになる。
【００１４】
さらに、前記切断装置が、前記ウェブ保持手段の両サクションボツクスと組み合わせ構成されてユニット化され、ウェブ保持手段と共にウェブ走行部分に対し接近可能に設けられてなるものとすることができ、この場合、切断装置をウェブ保持手段と共に接近、後退移動させることができ、作業効率を向上できる。
【００１５】
また、前記ウェブ保持手段が、前記スプライス位置を中間にしてウェブ走行方向に間隔を存して並列配置された一対のサクションボックスよりなり、前記切断装置が、前記ウェブ保持手段とウェブ走行部分を挟んで対向する側にあって、前記テープ貼着手段と並列してウェブ走行方向に変位可能に配され、該切断装置とテープ貼着手段が前記スプライス位置に交互に対向位置するように設けられるとともに、それぞれ前記スプライス位置と対向している状態においてウェブ走行部分に対し接近して切断作用又はテープ貼着作用するように設けられてなるものとすることもできる。この場合も、先行ウェブの末端と新ウェブの先端との接続作業を従来よりも効率化できる。
【００１６】
前記スプライス装置において、前記テープ貼着用のサクションロールが、ウェブ走行部分を挟んで走行用のガイドロールと対向して配置され、該ガイドロールに対してウェブを押圧し得るように設けられてなるものとする。これにより、接続用の接着テープの貼着を確実になし得る。
【発明の効果】
【００１７】
上記したように本発明のウェブのスプライス装置によれば、原反ロールから巻き出されている先行するウェブの末端と、接続用の原反ロールから巻き出された新ウェブの先端とを突き合わせ状態にして表裏両面に接着テープを貼着して接続するものでありながら、接続のためのウェブ走行停止時間を短縮でき、自動的に効率よく接続できる。また走行停止時間を短縮できるために、ウェブの走行停止時にも供給を連続するためのアキューム装置の収容長を短かくすることができる。
【発明を実施するための最良の形態】
【００１８】
次に、本発明の実施の形態を図面に示す実施例に基づいて説明する。
【００１９】
図１は本発明のスプライス装置の第１の実施例を示す概略説明図、図２は同上の切断作用時の概略説明図、図３は表面側の接着テープ貼着時の概略説明図、図４は裏面側の接着テープ貼着時の概略説明図、図５は本発明の第２の実施例を示す概略説明図、図６は同上の切断作用時の概略説明図、図７は表面側の接着テープ貼着時の概略説明図、図８は裏面側の接着テープ貼着時の概略説明図である。
【００２０】
図１〜図４の第１の実施例において、符号Ｒ１は巻き出し供給しているつまり先行するウェブＷ１の原反ロール、Ｒ２は接続用のウェブＷ２の原反ロールであり、それぞれ供給部において巻き出し可能に支持されている。前記原反ロールＲ１から巻き出されたプラスチックフィルムや紙等の供給対象のウェブＷ１は、ガイドローラＧ１、Ｇ２間の主として水平のウェブ走行部分を経て各種の処理加工の工程や巻き取り工程等の次工程に連続して送られる。図１中の一点鎖線Ｌはスプライス作業用の基準ラインを示している。
【００２１】
符号の１は、前記ウェブ走行部分ＷＲにおいて走行するウェブＷ１の表裏面の一方、例えば図のように裏面と対向する下側において、該ウェブ走行部分ＷＲに対し接近可能に配置されたウェブ保持手段である。このウェブ保持手段１は、前記ウェブ走行部分ＷＲにおいて予め設定されたスプライス用位置Ｐ１を中間にして走行方向前後に切断のための間隔を保有するように並列して配置された一対のサクションボツクス１１，１１よりなる。前記両サクションボックス１１，１１は、前記ウェブ走行部分ＷＲと対向する側を長底とする台形状をなしており、接続用の原反ロールＲ２から巻き出された新ウェブＷ２の先端側の部分を吸引保持できるように設けられている。
【００２２】
符号２は、前記ウェブ保持手段１の両サクションボックス１１、１１間でウェブ幅方向に走行移動可能なカッター刃２１を有する切断装置であり、通常時は前記ウェブ走行部分ＷＲから離れた位置にあって、該ウェブ走行部分ＷＲに向かって接近可能に設けられている。また、前記カッター刃２１は、通常、前記ウェブ走行部分ＷＲのウェブ幅方向側方に待機していて、切断作用時にウェブ幅方向に走行移動するように設けられている。
【００２３】
図の場合、前記切断装置２は、前記ウェブ保持手段１の両サクションボックス１１、１１と一体的に組み合わせ構成されてユニット化されており、これらが一体として適宜進退可能なシリンダー装置等の駆動手段１３により前記走行ウェブ走行部分ＷＲに対し接近、離隔移動するように構成されている。前記切断装置２のカッター刃２１の走行は、シリンダー装置のほか、リニアモータ等の直線運動を生起できる種々の駆動手段を利用することができる。
【００２４】
符号３は、前記ウェブ保持手段１と切断装置２の部分より走行方向前方に配した先端保持手段であり、原反ロールＲ２から巻き出される接続用の新ウェブＷ２の先端を保持して巻き出し長さを調整できるように設けられている。Ｇ３は前記新ウェブＷ２の巻き出し用のガイドローラであり、スプライス装置による接続作用後に、原反ロールＲ２と共に上方に移動して、該ウェブＷ２を上側に移して元の先行ウェブＷ１と同様に巻き出し走行させることができるように設けられている。
【００２５】
符号４はウェブ保持手段１とウェブ走行部分ＷＲを挟んで対向する上側、すなわち前記ウェブ走行部分ＷＲの表面との対向側において、前記スプライス用位置Ｐ１の近傍で前記ウェブ走行部分ＷＲに対し接近可能に配置されたウェブ押さえ手段である。図の場合は、前記スプライス用位置Ｐ１を中間にして走行方向に間隔をおいて二つのウェブ押さえ手段４，４が配置されている。双方のウェブ押さえ手段４，４をそれぞれ個々に押圧動作するように設けられており、切断後に、先ず巻き出し側のウェブ押さえ手段４がウェブ押さえを解除できるようになっている。４１は前記ウェブ押さえ手段４を押さえ動作させるシリンダー等の駆動手段である。なお、前記巻き出し側のウェブ押さえ手段４を省略して、走行方向前方のウェブ押さえ手段４のみを設けて実施することもできる。
【００２６】
符号５は、前記ウェブ走行部分ＷＲの上側において前記二つのウェブ押さえ手段４，４間においてスプライス用位置Ｐ１に対向してウェブ走行部分ＷＲに対し接近可能に設けられたテープ貼着手段である。このテープ貼着手段５は、先行ウェブＷ１との対向側に所定幅の接着テープＴ１を吸引保持するサクションボックスよりなり、切断により生じた前記先行ウェブＷ１の末端Ｗ１ａと新ウェブＷ２の先端Ｗ２ａの突き合わせ部６の表面側に対し該接着テープＴ１を貼着できるように設けられている。
【００２７】
符号７は、前記ウェブ走行部分ＷＲの前記スプライス用位置Ｐ１より走行方向のやや前方において、走行するウェブＷ１の表面側（ウェブ走行部分ＷＲの上側）に当接するガイドローラＧ２によるターン部において該ガイドローラＧ２に対向して配置され、走行するウェブＷ１に対し接近可能に設けられた接着テープ貼着用のサクションロールである。このサクションロール７は、外周面に所定幅の接続用の接着テープＴ２を吸引保持するとともに、接続動作のための走行停止中に、該ウェブＷ１に対し当接する位置まで接近移動し、この当接状態において前記ウェブＷ１の走行に伴って回転することにより、外周面に保持した前記接着テープＴ２を、先行ウェブＷ１の末端Ｗ１ａと新ウェブＷ２の先端Ｗ２ａとの突き合わせ部６の裏面に貼着できるように設けられている。
【００２８】
そのため、前記接着テープ貼着用のサクションロール７は、前記スプライス用位置Ｐ１から該サクションロール７の当接位置までの距離よりも長い周長を持ち、かつ、外周面に前記接着テープＴ２を吸引保持した状態でウェブＷ１の走行に伴って回転することにより、前記接着テープＴ２がちょうど前記突き合わせ部６の裏面側に対応して該部分に貼着できるように、前記接着テープＴ２の吸引保持位置が設定されている。
【００２９】
上記した第１の実施例のウェブのスプライス装置によれば、予め接続用の原反ロールＲ２を供給部に巻き出し可能に支持して、該原反ロールＲ２の新ウェブＷ２の先端部所要長さを巻き出してウェブ走行部分ＷＲの下側に設けられているウェブ保持手段１の両サクションボツクス１１，１１に吸引保持させておく。そして、搬送中の原反ロールＲ１の先行するウェブＷ１が終端近くになると、該原反ロールＲ１からの巻き出し及びスプライス装置部分の走行を停止して、次の接続作用が行われる。
【００３０】
先ず、前記走行停止と同時に、図２のように、前記ウェブ保持手段１が前記ウェブ走行部分ＷＲに対し接近移動する。他方、前記ウェブ走行部分ＷＲの上側に配置されたウェブ押さえ手段４がウェブ走行部分ＷＲの側に接近移動して先行するウェブＷ１に対する押さえ動作を行い、該ウェブＷ１を前記接続用のウェブＷ２と共に前記ウェブ保持手段１のサクションボックス１１，１１との間に挟持する。
【００３１】
この状態において、切断装置２のカッター刃２１がウェブ幅方向に走行して先行ウェブＷ１と接続用の新ウェブＷ２とを所定のスプライス用位置Ｐ１で切断する。すなわち、前記切断装置２のカッター刃２１は、通常、ウェブ走行部分ＷＲからウェブ幅方向外方の位置にあり、切断時に幅方向に走行することにより前記ウェブＷ１，Ｗ２の切断を行う。
【００３２】
前記の切断装置２によるウェブ切断が完了すると、図３のように、先ず、巻き出し側のウェブ押さえ手段がウェブから離隔して押さえ動作を解除するとともに、原反ロールＲ１の逆転により終端側残存ウェブＷ１ｂが巻き戻され取り除かれる。この状態において、ウェブ走行部分ＷＲとの対向側に接着テープＴ１を吸引保持した上側のテープ貼着手段５が該ウェブ走行部分ＷＲの側に接近移動し、前記切断により生じた前記先行ウェブＷ１の末端Ｗ１ａと新ウェブＷ２の先端Ｗ２ａとを突き合わせ部６の表面に前記接着テープＴ１を押圧して貼着し、両ウェブＷ１，ウェブＷ２を表面側で仮接続する。
【００３３】
この後、前記テープ貼着手段５がウェブ走行部分ＷＲから離隔移動し前記接着テープＴ１の貼着部から離脱するとともに、下側の前記ウェブ保持手段１がウェブ走行部分ＷＲから離隔移動し、さらにウェブ押さえ手段４がウェブから離脱し、巻き出し走行を再開する。この走行により、前記新ウェブＷ２の切断端片Ｗ２ｂが除去され、該接続部分が後続のサクションロール７の部分に至る。また、前記ウェブＷ１，Ｗ２の走行により、走行停止中に該ウェブに当接していた接着テープ貼着用のサクションロール７が、ウェブＷ１，Ｗ２の走行に同伴して回転することにより、該サクションロール７の外周面の所定の個所に吸引保持されている接着テープＴ２が、前記表面側の接着テープＴ１の貼着により接続されているウェブＷ１の末端Ｗ１ａと新ウェブＷ２の先端Ｗ２ａの突き合わせ部６の裏面に貼着される。これにより、前記先行ウェブＷ１の末端Ｗ１ａと、接続用の新ウェブＷ２の先端Ｗ２ａとが、表裏両面での接着テープＴ１，Ｔ２の貼着により完全に接続され、次の工程に供給される。
【００３４】
前記のように、裏面側の接着テープＴ２の貼着を、ウェブＷ１，Ｗ２を走行させながら行えるので、突き合わせ部の表裏両面における接着テープの貼着を走行停止中に行う場合に比して、走行停止時間を大幅に短縮、接続作業効率を向上できる。特に、前記切断装置２が、ウェブ保持手段１と同じ側にあって該ウェブ保持手段１の両サクションボックス１１，１１間で切断するようにしたことで、表面側の接着テープＴ１を貼着するテープ貼着手段６をスプライス用位置Ｐ１に対向して配置しておくことができ、従来のように切断装置とテープ貼着手段の入れ替えるための移動も不要になり、走行停止時間をさらに短縮できる。
【００３５】
なお、前記のウェブＷ１，Ｗ２の接続後に、原反ロールＲ２が元の原反ロールＲ１の位置に移動して、該原反ロールＲ２から巻き出されるウェブＷ２が、正規のウェブ走行部分ＷＲを通って巻き出し走行され、上記同様のウェブ搬送がなされる。すなわち、供給部において両原反ロールＲ１，Ｒ２を巻き出し可能に支持する持部は、交互に所定の巻き出し位置に移動するように構成される。
【００３６】
図５〜図８に示す第２の実施例について説明する。この第２の実施例の装置は、上記した第１の実施例の装置では基材であるウェブＷ１，Ｗ２の切断が難しい場合に利用するものであり、次のような構成よりなる。なお、この第２の実施例において、上記した第１の実施例と共通する構成部位や部材については、同じ符号を付して詳しい説明を省略する。
【００３７】
この第２の実施例においては、切断装置２が水平のウェブ走行部分ＷＲの表面に対向する上側にあって、下側には一対のサクションボックス１１，１１からなるウェブ保持手段１のみが設けられており、該切断装置２とウェブ保持手段１とがウェブ走行部分ＷＲを挟んで対向している。前記ウェブ保持手段１の両サクションボックス１１，１１間には、切断装置２のカッター刃２１が切断時に嵌り込み得る間隔を保有している。
【００３８】
ウェブ走行部分ＷＲの上側には、前記切断装置２と共にテープ貼着手段５が設けられている。この切断装置２とテープ貼着手段５とは、交互にスプライス用位置Ｐ１と対向位置するように走行方向に変位可能に配設され、それぞれ前記スプライス用位置Ｐ１と対向した位置にあるときに、前記ウェブ走行部分ＷＲに対し接近移動するように設けられている。前記テープ貼着手段５は、接着テープＴ１を吸引保持してウェブ走行部分ＷＲに対し接近移動して該接着テープＴ１を貼着するように構成されている点は、上記した実施例と同様である。ウェブ押さえ手段４については、前記スプライス用位置Ｐ１より走行方向前方側のみに設けられているが、第１の実施例と同様に巻き出し側にもウェブ押さえ手段４を設けておくことができる。
【００３９】
このほか、接着テープ貼着用のサクションロール７による裏面側での接着テープＴ２の貼着の機構、手段は、上記した第１の実施例と同様である。
【００４０】
この第２の実施例の場合、原反ロールＲ１から巻き出されるウェブＷ１を搬送している間に、図５のように、接続用の原反ロールＲ２から所要長さ巻き出した接続用の新ウェブＷ２を、ウェブ保持手段１の二つのサクションボックス１１により吸引保持させておく。そして、原反ロールＲ１から巻き出されているウェブＷ１が終端近くになった時、巻き出し走行を一時停止し、この走行停止中に、下側のウェブ保持手段１がウェブ走行部分ＷＲに対し接近移動するとともに、上側のウェブ押さえ手段４が押え動作を行って、該ウェブ押さえ手段４とウェブ保持手段１との間に先行するウェブＷ１と接続用の新ウェブＷ２とを挟持する。この状態で、図６のように、上側の切断装置２がウェブ走行部分ＷＲに対し接近移動して両ウェブＷ１，Ｗ２を押さえ、かつ、カッター刃２１が幅方向に走行して前記両ウェブＷ１，Ｗ２を所定のスプライス用位置Ｐ１で切断する。特に、この切断の際、基材である前記両ウェブＷ１，Ｗ２を切断位置の近傍で上下から挟持するように押さえることになるので、上記した第１の実施例の場合よりも確実に切断することができる。
【００４１】
続いて、前記切断装置２が前記ウェブ走行部分ＷＲから離隔移動するとともに、切断されたウェブＷ１の終端側残存ウェブＷ１ｂが原反ロールＲ１の逆転により巻き戻されて除去される。さらに、前記切断装置２とテープ貼着手段５とが走行方向に変位移動し、該テープ貼着手段５が前記スプライス用位置Ｐ１に対向するとともに、ウェブ走行部分ＷＲに向かって接近移動し、図７のように該テープ貼着手段５に吸着保持した接着テープＴ１を、切断により生じた先行ウェブＷ１の末端Ｗ１ａと新ウェブＷ２の先端Ｗ２ａとの突き合わせ部６の表面に貼着し、両ウェブＷ１，Ｗ２を前記接着テープＴ１により表面側で仮接続する。
【００４２】
こうして、前記テープ貼着手段５及びウェブ保持手段１が、それぞれ前記ウェブ走行部分ＷＲから離隔移動した後、走行を再開する。この走行により、新ウェブＷ２の切断端片Ｗ２ｂが除去されて、後続のサクションロール７の部分に至る。この部分において、走行に同伴するサクションロール８の回転により、その外周面に予め吸引保持させた接着テープＴ２が前記突き合わせ部７の裏面側に貼着される。これにより、先行するウェブＷ１の末端Ｗ１ａと接続用の新ウェブＷ２の先端Ｗ２ａとが突き合わせ状態で表裏両面に接着テープＴ１，Ｔ２が貼着されて接続されることになる。
【００４３】
この第２の実施例２おいても、裏面側の接着テープＴ２の貼着を、ウェブＷ１，Ｗ２を走行させながら行えるので、突き合わせ部の表裏両面における接着テープの貼着を走行停止中に行う場合に比して、走行停止時間を大幅に短縮、接続作業効率を向上できる。
【００４４】
なお、上記した各実施例では、水平のウェブ走行部分において、その上下にウェブ保持手段１、切断装置２、ウェブ押さえ手段４、テープ貼着手段５、サクションロール７を配置してスプライス装置を設定した場合の例を示したが、このほか、斜めのウェブ走行部分において上記同様に各構成部分を配置して実施でき、また上下方向のウェブ走行部分の左右部に、前記各構成部分を配置して同様に実施することもできる。
【産業上の利用可能性】
【００４５】
本発明のウェブのスプライス装置は、プラスチックフィルムや紙等の各種ウェブを、印刷やその他の加工処理あるいは巻取り等の次工程に連続して供給する際のウェブの接続に好適に利用することができる。
【図面の簡単な説明】
【００４６】
【図１】本発明のスプライス装置の第１の実施例を示す概略説明図である。
【図２】同上の切断作用時の概略説明図である。
【図３】同上の表面側の接着テープ貼着時の概略説明図である。
【図４】同上の裏面側の接着テープ貼着時の概略説明図である。
【図５】本発明のスプライス装置の第２の実施例を示す概略説明図である。
【図６】同上の切断作用時の概略説明図である。
【図７】同上の表面側の接着テープ貼着時の概略説明図である。
【図８】同上の裏面側の接着テープ貼着時の概略説明図である。
【図９】ウェブ末端とウェブ先端との接続状態の拡大断面図である。
【図１０】従来のスプライス装置の概略説明図である。
【図１１】同上の切断作用時の概略説明図である。
【図１２】同上の表面側の接着テープ貼着時の概略説明図である。
【図１３】同上の裏面側の接着テープ貼着時の概略説明図である。
【符号の説明】
【００４７】
Ｒ１…先行するウェブの原反ロール，Ｒ２…接続用のウェブの原反ロール、Ｗ１…先行するウェブ、Ｗ１ａ…ウェブの末端、Ｗ２…接続用の新ウェブ、Ｗ２ａ…新ウェブの先端、Ｔ１…表面側の接着テープ、Ｔ２…裏面側の接着テープ、Ｇ１，Ｇ２，Ｇ３…ガイドローラ、ＷＲ…ウェブ走行部分、Ｐ１…スプライス用位置、１…ウェブ保持手段、１１…サクションボツクス、１３…駆動手段、２…切断装置、２１…カッター刃、３…先端保持手段、４…ウェブ押さえ手段、４１…駆動手段、５…テープ貼着手段、６…突き合わせ部、７…接着テープ貼着用のサクションロール。
【図１】
2010023986.tif 000003
【図２】
2010023986.tif 000004
【図３】
2010023986.tif 000005
【図４】
2010023986.tif 000006
【図５】
2010023986.tif 000007
【図６】
2010023986.tif 000008
【図７】
2010023986.tif 000009
【図８】
2010023986.tif 000010
【図９】
2010023986.tif 000011
【図１０】
2010023986.tif 000012
【図１１】
2010023986.tif 000013
【図１２】
2010023986.tif 000014
【図１３】
2010023986.tif 000015